(57)【要約】【課題】収納室内での冷気の循環効率を向上させ、飲食物等の冷却を均一になし得るようにする。【解決手段】断熱箱体１２の内部に遮蔽部材３４が配設され、該遮蔽部材３４より下方に冷却室３２が画成されると共に上方に収納室２６が画成される。遮蔽部材３４の後側に、冷却室３２に配置した冷却器と熱交換した冷気が収納室２６に吹出される吹出口３６が開設される。吹出口３６には、エアガイド４６が嵌合部５１を介して着脱可能に装着される。そして、吹出口３６から吹出される冷気は、エアガイド４６により収納室２６の上方に向けて案内される。【選択図】　図３
2004012026.tif 000002
【特許請求の範囲】
【請求項１】
箱体（１２）の内部に、該箱体（１２）に設けた遮蔽部材（３４）より下方に冷却室（３２）を画成すると共に上方に収納室（２６）を画成し、該冷却室（３２）に配置した冷却器（２８）と熱交換した冷気を前記遮蔽部材（３４）に開設した吹出口（３６）から収納室（２６）に吹出すよう構成した冷蔵庫において、
前記吹出口（３６）に着脱可能に装着され、該吹出口（３６）から吹出される冷気を上方に案内するエアガイド（４６，６１）を備え、
前記エアガイド（４６，６１）は、その下端部に形成した嵌合部（５１）を、前記吹出口（３６）に嵌合することで装着されるよう構成した
ことを特徴とする冷蔵庫の冷気吹出し構造。
【請求項２】
前記吹出口（３６）は、箱体（１２）の内部後壁（１２ａ）に近接して開設されると共に、前記エアガイド（６１）は、前記嵌合部（５１）より上方の位置において、該エアガイド（６１）を吹出口（３６）に装着した際に、その上端部側が前記内部後壁（１２ａ）に当接するよう折曲されている請求項１記載の冷蔵庫の冷気吹出し構造。
【発明の詳細な説明】
【０００１】
【発明の属する技術分野】
この発明は、冷蔵庫の冷気吹出し構造に関し、更に詳細には、箱体の内部下方に配置した冷却器で熱交換した冷気を、箱体の内部上方に画成した収納室に吹出して冷却する冷蔵庫の冷気吹出し構造に関するものである。
【０００２】
【従来の技術】
食料品店やコンビニエンスストア等で、飲食物等を冷蔵状態で収納して陳列する冷蔵庫（冷蔵ショーケース）が好適に使用されている。この冷蔵庫１０は、図６および図７に示すように、矩形状に形成された断熱箱体（箱体）１２と、該断熱箱体１２の下方に形成され、その内部に図示しない冷凍機構が配設される機械室１４と、断熱箱体１２の正面側に開口した開口部２４を開閉する前扉１６および後扉１８とから基本的に構成される。前記断熱箱体１２は、壁面の一方が開放するよう成形された内箱２０および外箱２２とからなり、各開放部分を整列させた状態で相互に組合わせることによって正面側に開口部２４が形成されると共に、両箱２０，２２で画成される空間内部にウレタン等の発泡断熱材を充填して構成される。また断熱箱体１２の内部下方に遮蔽部材３４が配設され、該遮蔽部材３４を介して上方に飲食物等を収納陳列するための収納室２６が内部画成されると共に、その下方には冷却器２８および庫内ファン３０が収納される冷却室３２が内部画成されている。
【０００３】
前記遮蔽部材３４には、収納室２６と冷却室３２とを連通する吸込口３５が前側に形成されると共に、後側には吹出口３６が形成されている。この吹出口３６は、遮蔽部材３４の後側において断熱箱体１２の左右方向（幅方向）に沿って長方形状に切欠かれた部分であり、吸込口３５と同様に、冷却室３２と収納室２６とを連通している。そして、前記庫内ファン３０を回転することにより、吸込口３５から冷却室３２に吸込んだ収納室内空気を、前記冷却器２８と熱交換して冷気とした後、該冷気を吹出口３６を介して収納室２６の後部上方に向けて吹出すよう構成される。また収納室２６には、図に示すように、棚網３８が上下に多段的に配置され、この棚網３８を介して飲食物等が収納陳列される。なお、前記断熱箱体１２の開口部２４には、その上部内周縁に上レール４０が配設されると共に下部内周縁に下レール４２が配設されており、上下の両レール４０，４２間に、前記前扉１６および後扉１８がスライド可能に配設されている。
【０００４】
【発明が解決しようとする課題】
前記冷蔵庫１０では、前記冷却器２８に接触して熱交換した冷気を、前記遮蔽部材３４の後側に開設した吹出口３６から収納室２６の内部に吹出すよう構成している。この場合に、吹出口３６から吹出された冷気は直ぐに拡散してしまい、収納室２６の上方に充分に行き渡らず、収納室２６の下側に収納されている飲食物等が過冷却されたり、上側に収納されている飲食物等の冷却が不充分となる等、飲食物等の冷却が均一になされなくなる難点がある。また前記冷蔵庫１０では、前記遮蔽部材３４の上にも飲食物等が載置されるが、この飲食物等の載置状態によっても、当該飲食物等により上方への冷気の循環が阻害され、飲食物等の均一な冷却ができなくなるおそれがある。
【０００５】
【発明の目的】
本発明は、従来の技術に係る冷蔵庫の冷気吹出し構造に内在している前記欠点に鑑み、これを好適に解決するべく提案されたものであって、収納室内での冷気の循環効率を向上させ、飲食物等の冷却を均一になし得るようにした冷蔵庫の冷気吹出し構造を提供することを目的とする。
【０００６】
【課題を解決するための手段】
前記課題を解決し、所期の目的を達成するため、本発明に係る冷蔵庫の冷気吹出し構造は、
箱体の内部に、該箱体に設けた遮蔽部材より下方に冷却室を画成すると共に上方に収納室を画成し、該冷却室に配置した冷却器と熱交換した冷気を前記遮蔽部材に開設した吹出口から収納室に吹出すよう構成した冷蔵庫において、
前記吹出口に着脱可能に装着され、該吹出口から吹出される冷気を上方に案内するエアガイドを備え、
前記エアガイドは、その下端部に形成した嵌合部を、前記吹出口に嵌合することで装着されるよう構成したことを特徴とする。
【０００７】
【発明の実施の形態】
次に、本発明に係る冷蔵庫の冷気吹出し構造につき、好適な実施例を挙げて、添付図面を参照しながら以下説明する。なお、従来の技術で既出した部材については、同一の符号を付してその詳細な説明を省略する。
【０００８】
図１〜図４は、本発明の実施例に係る冷蔵庫の冷気吹出し構造を示すものであって、前記断熱箱体１２の内部に配設した遮蔽部材３４の下方に画成した冷却室３２には、断熱箱体１２の幅方向の略中央位置に、冷却器２８が空気吸込側を前側に指向させると共に空気吹出側を後向きとした姿勢で配置される。そして、この冷却器２８の後側に、後述する吹出口３６と連通する吹出用空間６０が画成されると共に、該吹出用空間６０に庫内ファン３０が配置されている。すなわち、庫内ファン３０を回転することで、冷却器２８と熱交換した冷気を、吹出用空間６０から吹出口３６を介して遮蔽部材３４の上方に画成される収納室２６に吹出すよう構成される。なお、遮蔽部材３４の前側には前記吸込口３５が形成され、収納室２６内の前部側の空気が、該吸込口３５を介して冷却器２８の前側の冷却室３２に吸込まれるようになっている。
【０００９】
前記遮蔽部材３４の後側には、断熱箱体１２の内部後壁１２ａに近接して幅方向に延在する長方形状の吹出口３６が開設されている。この吹出口３６は、後部後壁１２ａに沿って所定高さで立上がる画壁体４４により画成されており、該画壁体４４に対して所定高さ寸法のエアガイド４６が着脱可能に装着される。
【００１０】
前記エアガイド４６は、横長矩形状の板材における幅方向（正面左右方向）の両端部を、内部後壁１２ａに向けて略直角に折曲した平面コ字状に形成されたものであって、左右の両折曲片４８，４８の外側間寸法が、前記吹出口３６における幅方向の内径寸法と略一致するよう設定される。また各折曲片４８の前後寸法が、吹出口３６における前後方向の内径寸法と略一致するよう設定されている。更に、エアガイド４６の前面下端部には、図４に示す如く、逆Ｌ字状に折曲されて幅方向に所定長さで延在する逆Ｌ字状の係止片５０が、ガイド前面から所定長さだけ前側に突出するよう折曲形成されている。この係止片５０の前側への突出寸法は、前記画壁体４４を形成する壁の厚み寸法と略同一あるいは僅かに幅広となるよう設定されている。すなわち、エアガイド４６における係止片５０を挟む左右両側の下端部４６ａ，４６ａを吹出口３６に上方から挿入すると共に、係止片５０を画壁体４４の前側（外側）に臨ませるよう係合することにより、当該エアガイド４６が吹出口３６に装着される。なお、実施例では係止片５０および両側の下端部４６ａ，４６ａとから嵌合部５１が構成され、該嵌合部５１が吹出口３６に着脱可能に嵌合されるようになっている。
【００１１】
ここで、前記エアガイド４６は、前記吹出口３６から吹出される冷気が直ぐに拡散することなく上方に向けて安定的に流れるようにし得る高さ寸法に設定され、これにより冷気を前記収納室２６の上側に効率的に循環させるよう構成してある。また、前記遮蔽部材３４に飲食物等を載置した場合において、これら飲食物等の背面側（内部後壁１２ａとの間）に、エアガイド４６により冷気の通路を確保し、該ガイド４６からの冷気の吹出しが阻害されないようになっている。
【００１２】
前記収納室２６を画成する断熱箱体１２の幅方向両側の内部側壁に支持用段部５２，５２が、上下に所定間隔離間して複数形成され、各支持用段部５２，５２に、飲食物等を載置するための棚網３８が載置されるようになっている。この棚網３８の後端部には、上方に所定高さで立上がって横方向の全長に亘って延在するストッパ５４が配設されており、該ストッパ５４は、棚網３８に載置された飲食物等の後方への移動を規制して、該飲食物等と断熱箱体１２の内部後壁１２ａとの間に、前記エアガイド４６から吹出される冷気が流通する冷気通路５６を確保するべく機能する。
【００１３】
【実施例の作用】
次に、実施例に係る冷蔵庫の冷気吹出し構造の作用につき以下説明する。前記庫内ファン３０を回転すると、前記収納室２６の前部側の空気は、前記吸込口３５を介して冷却室３２の内部前側に吸込まれる。この空気は、冷凍機構（図示せず）で冷却されている冷却器２８と接触して熱交換されて冷気とされ、前記吹出用空間６０から吹出口３６に向けて流れる。この冷気は、該吹出口３６に装着されている前記エアガイド４６に案内されて上方に向けて所定高さだけ流れた後に、該ガイド４６から収納室２６に吹出される。そして、収納室２６に吹出された冷気は、前記棚網３８のストッパ５４と断熱箱体１２の内部後壁１２ａとの間に画成された前記冷気通路５６を上昇した後、断熱箱体１２の天井面に沿って庫内前方に移動し、更に前記前扉１６および後扉１８の後面に沿って下方に流れた後に、再び吸込口３５を介して冷却室３２に帰還するサイクルを反復継続する。
【００１４】
すなわち、前記吹出口３６にエアガイド４６を装着したことで、該吹出口３６から吹出された冷気が直ぐに拡散することなく、該エアガイド４６により上方に向けて安定的に案内されるから、収納室２６の全体に亘って冷気を循環させ得る。これにより、収納室２６の下側に収納されている飲食物等が過冷却されたり、上側に収納されている飲食物等の冷却が不充分となるのを防止することができ、飲食物等の均一な冷却が達成される。またエアガイド４６は、吹出口３６に対して嵌合部５１を嵌合してあるだけなので、収納室２６等の清掃に際して該エアガイド４６を工具等を用いることなく簡単に取外すことができる。
【００１５】
なお、前記遮蔽部材３４に飲食物等を載置した場合であっても、前記エアガイド４６により冷気の通路は確保されているから、当該飲料物等の載置状態により冷気の上方への流れが阻害されることはなく、冷気は収納室２６の全体に亘って円滑に循環する。
【００１６】
【変更例】
図５は、エアガイドの変更例を示すものであって、前述した実施例と異なる部分についてのみ説明する。変更例のエアガイド６１では、前記嵌合部５１より上方の位置において、前記両折曲片４８，４８に前後方向に延在する切欠６２が夫々形成され、両切欠６２，６２間に臨む部位を基点として上部側が、後側に向けて所定角度で折曲されている。なお、エアガイド６１の上部側の折曲角度は、嵌合部５１を介してエアガイド６１を前記吹出口３６に装着した際に、該ガイド４６における上端部側の後面が、エアガイド６１自体の弾力によって前記内部後壁１２ａに当接するよう設定される。
【００１７】
すなわち、エアガイド６１を吹出口３６に装着した状態で、該ガイド６１の下部側は嵌合部５１により前記画壁体４４に位置決めされ、また上部側は内部後壁１２ａに当接して位置決めされる。従って、前記機械室１４に配設された圧縮機等の起動により機械的振動が当該エアガイド６１に伝わった際に、これに伴う振動音（所謂ビビリ音）の発生が好適に抑制される。なお、エアガイド６１は、前述した実施例と同様に吹出口３６に対して簡単に着脱可能であるから、前記収納室２６等の清掃は簡単である。なお、エアガイド６１の材質としては、金属や樹脂等が採用される。
【００１８】
【発明の効果】
以上に説明した如く、本発明に係る冷蔵庫の冷気吹出し構造では、吹出口から吐出される冷気を、エアガイドにより収納室の上部側まで行き渡らせることができるから、収納室全体を均一に冷却することができ、収納されている飲食物等の均一な冷却を達成し得る。また、エアガイドは吹出口に対して嵌合部を介して着脱可能に装着されるものであるので、収納室等の清掃に際して簡単に取外すことができる。更に、エアガイドの上端部側を箱体の内部後壁に当接するよう構成することで、該ガイドは安定的に装着され、振動音等の発生を抑制し得る。
【図面の簡単な説明】
【図１】本発明の好適な実施例に係る冷気吹出し構造を採用した冷蔵庫を示す概略縦断正面図である。
【図２】実施例に係る冷蔵庫を示す概略縦断側面図である。
【図３】実施例に係るエアガイドの配設箇所を示す冷蔵庫の要部縦断側面図である。
【図４】遮蔽部材とエアガイドとを分解した状態で示す概略斜視図である。
【図５】変更例に係るエアガイドの配設箇所を示す冷蔵庫の要部縦断側面図である。
【図６】従来の技術に係る冷気吹出し構造を採用した冷蔵庫を示す概略縦断正面図である。
【図７】従来の技術に係る冷蔵庫を示す概略縦断側面図である。
【符号の説明】
１２断熱箱体（箱体），１２ａ内部後壁，２６収納室，２８冷却器
３２冷却室，３４遮蔽部材，３６吹出口，４６エアガイド，５１嵌合部
６１エアガイド
【図１】
2004012026.tif 000003
【図２】
2004012026.tif 000004
【図３】
2004012026.tif 000005
【図４】
2004012026.tif 000006
【図５】
2004012026.tif 000007
【図６】
2004012026.tif 000008
【図７】
2004012026.tif 000009